(57)【特許請求の範囲】
【請求項１】
撮像素子で撮像した動画像を表示装置にライブビュー表示するライブビュー表示機能を有する撮像装置であって、
被写体輝度を測定する測定手段と、
前記ライブビュー表示の実行中か否かを判定する判定手段と、
前記撮像素子で動画像を撮像する際の露出パラメータを設定する設定手段と、
動画像の記録開始指示が検出されると、前記設定手段が設定した露出パラメータで撮像された動画像を記録媒体に記録する記録手段と、
ユーザが指定した露出パラメータを記憶する記憶手段と、を有し、
前記設定手段は、前記判定手段により前記ライブビュー表示の実行中でないと判定されている際に前記記録開始指示が検出された場合には、前記記憶手段に記憶されているユーザが指定した露出パラメータによらず前記測定手段により測定された被写体輝度に基づいて、前記記録開始指示に対応して記録する動画像を撮像するための露出パラメータを設定することを特徴とする撮像装置。
【請求項２】
前記設定手段は、前記判定手段により前記ライブビュー表示の実行中でないと判定されている際にライブビュー表示の開始指示が検出された場合には、前記記憶手段に記憶されているユーザが指定した露出パラメータと前記測定手段により測定された被写体輝度とに基づいて、前記ライブビュー表示の開始指示に対応してライブビュー表示する動画像を撮像するための露出パラメータを設定することを特徴とする請求項１記載の撮像装置。
【請求項３】
前記設定手段は、前記判定手段により前記ライブビュー表示の実行中でないと判定されている際にライブビュー表示の開始指示が検出された場合には、前記記憶手段に記憶されているユーザが指定した露出パラメータを、前記ライブビュー表示の開始指示に対応してライブビュー表示する動画像を撮像するための露出パラメータとして設定することを特徴とする請求項１記載の撮像装置。
【請求項４】
前記設定手段は、前記判定手段により前記ライブビュー表示の実行中でないと判定されている際に前記記録開始指示が検出された場合には、前記記録開始指示が検出された後に前記測定手段により測定された被写体輝度に基づいて、前記記録開始指示に対応して記録する動画像を撮像するための露出パラメータを設定することを特徴とする請求項１ないし３のいずれか１項記載の撮像装置。
【請求項５】
前記設定手段は、前記判定手段により前記ライブビュー表示の実行中でないと判定されている際にライブビュー表示の開始指示が検出された場合には、前記ライブビュー表示の開始指示が検出された後に前記測定手段により測定された被写体輝度に基づいて、前記ライブビュー表示の開始指示に対応してライブビュー表示する動画像を撮像するための露出パラメータを設定することを特徴とする請求項２記載の撮像装置。
【請求項６】
前記設定手段は、前記判定手段により前記ライブビュー表示の実行中でないと判定されている際に前記記録開始指示が検出された場合には、前記記録開始指示に対応して記録する動画像を撮像するためのシャッタ速度が動画像のフレームレートの逆数よりも低速にならないように露出パラメータを設定することを特徴とする請求項１乃至５のいずれか１項記載の撮像装置。
【請求項７】
撮像素子で撮像した動画像を表示装置にライブビュー表示するライブビュー表示機能を有する撮像装置の制御方法であって、
測定手段が、被写体輝度を測定する測定工程と、
判定手段が、前記ライブビュー表示の実行中か否かを判定する判定工程と、
設定手段が、前記撮像素子で動画像を撮像する際の露出パラメータを設定する設定工程と、
動画像の記録開始指示が検出されると、記録手段が、前記設定工程で設定された露出パラメータで撮像された動画像を記録媒体に記録する記録工程とを有し、
前記設定工程において前記設定手段は、前記判定工程において前記ライブビュー表示の実行中でないと判定されている際に前記記録開始指示が検出された場合には、ユーザが指定した露出パラメータによらず前記測定工程により測定された被写体輝度に基づいて、前記記録開始指示に対応して記録する動画像を撮像するための露出パラメータを設定することを特徴とする撮像装置の制御方法。
【発明の詳細な説明】
【技術分野】
【０００１】
本発明は撮像装置及びその制御方法に関し、特には撮像装置の露出制御技術に関する。
【背景技術】
【０００２】
デジタルスチルカメラやデジタルビデオカメラのような撮像装置では、光学系によって結像した被写体像を、ＣＣＤイメージセンサやＣＭＯＳイメージセンサなどの撮像素子を用いて画素単位の電気信号に変換し、画像データとして記録する。近年では、動画撮像機能を有するデジタルスチルカメラも一般的であり、撮像装置の多くは動画撮像が可能である。
【０００３】
また、撮像素子を用いた撮像装置では、動画、静止画の撮像スタンバイ時や、動画撮像中に、表示装置を電子ビューファインダーとして機能させることが一般に行われている。具体的には、動画撮像を行い、撮像した動画像をリアルタイムに表示装置に表示する。撮像と表示がリアルタイムに行われるため、このような表示方法をライブビュー表示とも呼ぶ。
【０００４】
ユーザが動画を撮像（記録）する場合、まず撮像装置を撮像スタンバイの状態としてから、ライブビュー表示を行わせ、所望の露出状態の動画像が表示されるように、電子シャッタ速度、絞り値、撮像感度などの露出パラメータの値を調整する。そして、所望のタイミングでシャッタボタンを押下するなどにより記録開始指示を入力するのが一般的である。なお、撮像スタンバイ状態において自動的にライブビュー表示を開始する撮像装置もあれば、ライブビュー表示の開始指示がなされてからライブビュー表示を行う撮像装置もある。後者の場合、撮像スタンバイ状態としてから、ライブビュー表示を開始させるために所定のボタンなどを押下する必要がある。
【０００５】
一方、ユーザが直ちに動画記録を開始したい場合などに対応するため、撮像装置は、ライブビュー表示していない状態からでも動画の記録開始指示があれば動画記録を開始する機能を備えている。しかし、ライブビュー表示を経ずに記録を開始する場合、露出パラメータを調整せずに動画像の記録を開始することになるため、シーンによっては適切な露出値で撮像された画像が記録できない場合もある。
【０００６】
特許文献１では、レリーズボタンが全押しされてから静止画撮像が開始されるまでの時間差を短縮するため、ライブビュー表示のための動画撮像に用いる露出条件を、レリーズボタンが解放されている場合と半押しされている場合とで変化させている。具体的には、レリーズボタンが半押しされると、ライブビュー表示用の動画撮像に用いる絞り値を、静止画撮像用の絞り値に変更している。
【先行技術文献】
【特許文献】
【０００７】
【特許文献１】特開2005-260733号公報
【発明の概要】
【発明が解決しようとする課題】
【０００８】
しかしながら、特許文献１では、ライブビュー表示中にレリーズボタンを半押ししないと、動画像の露出パラメータを変更することができない。また、静止画記録モードにおけるライブビュー表示の露出条件を、静止画撮像用に変更することの開示はあるが、動画記録モードにおいては露出パラメータの変更は行われない。また、ライブビュー表示用の動画の露出パラメータの変更を行う発明であり、ライブビュー表示していない状態から動画記録を開始する場合の課題は想定されていない。
【０００９】
本発明は、このような従来技術の問題点に鑑みてなされたものであり、ライブビュー表示していない状態で動画記録を開始する場合でも、適切な露出値で撮像された動画を記録することのできる撮像装置及びその制御方法を提供することを目的とする。
【課題を解決するための手段】
【００１０】
上述の目的を達成するため、本発明の撮像装置は、撮像素子で撮像した動画像を表示装置にライブビュー表示するライブビュー表示機能を有する撮像装置であって、被写体輝度を測定する測定手段と、ライブビュー表示の実行中か否かを判定する判定手段と、撮像素子で動画像を撮像する際の露出パラメータを設定する設定手段と、動画像の記録開始指示が検出されると、設定手段が設定した露出パラメータで撮像された動画像を記録媒体に記録する記録手段と、ユーザが指定した露出パラメータを記憶する記憶手段と、を有し、設定手段は、判定手段によりライブビュー表示の実行中でないと判定されている際に記録開始指示が検出された場合には、記憶手段に記憶されているユーザが指定した露出パラメータによらず測定手段により測定された被写体輝度に基づいて、記録開始指示に対応して記録する動画像を撮像するための露出パラメータを設定することを特徴とする。
【発明の効果】
【００１１】
このような構成により、本発明によれば、ライブビュー表示していない状態で動画記録を開始する場合でも、適切な露出値で撮像された動画を記録することが可能になる。
【図面の簡単な説明】
【００１２】
【図１】本発明の実施形態に係る撮像装置の一例としてのデジタルスチルカメラの機能構成例を示すブロック図。
【図２】本発明の実施形態に係るＤＳＬＲにおける動画撮像用の露出パラメータ設定動作について説明するためのフローチャートである。
【図３】（ａ）は図２のＳ１４の処理の詳細を説明するフローチャート、（ｂ）は、図３（ａ）のＳ１０２で用いる第１のプログラム線図の例を示す図。
【図４】（ａ）は図２のＳ１３の処理の詳細を説明するフローチャート、（ｂ）は、図４（ａ）のＳ２０５で用いる第２のプログラム線図の例を示す図。
【発明を実施するための形態】
【００１３】
以下、添付図面を参照して、本発明の例示的な実施形態について詳細に説明する。なお、以下に説明する実施形態は本発明の説明を目的としたものであり、本発明を限定するものと解釈されるべきものではない。また、実施形態において記載される構成の全てが本発明に必須であるとは限らない。
【００１４】
図１は、本発明の実施形態に係る撮像装置の一例としてのレンズ交換式一眼レフデジタルスチルカメラ（ＤＳＬＲ）の機能構成例を示すブロック図である。なお、本発明は動画撮像を行い、撮像した動画像をリアルタイムに表示装置に表示するライブビュー表示機能と、動画像を記録する機能を有する任意の撮像装置に適用可能である。また、本明細書において「撮像装置」とは、所謂カメラだけでなく、撮像装置を内蔵又は接続した装置（携帯電話、携帯情報端末、コンピュータ、メディアプレーヤ等）を含む。なお、固定式のレンズを備えた撮像装置であっても本発明を適用可能である。
【００１５】
ＤＳＬＲ１００は、交換可能なレンズユニット１００がレンズマウントによって本体２００と接続された構成を有する。レンズユニット１００が備えるレンズ５は、便宜上１枚のレンズとして図示しているが、通常はフォーカス調整用レンズを含む複数枚のレンズの組み合わせにより構成される。レンズユニット１００に設けられた通信端子６は、レンズユニット１００が本体２００と通信を行う為の通信端子であり、本体２００に設けられた通信端子１０と電気的に接続している。
【００１６】
レンズユニット１００のレンズ制御部４は、通信端子６，１０を介してカメラ制御部３９と通信し、カメラ制御部３９の制御に従って、絞り駆動部２及びＡＦ駆動部３を制御することにより、絞り１の大きさとレンズ５の合焦距離を変化させる。
【００１７】
ＡＥセンサ１５はレンズユニット１００を通した被写体の輝度を測定し、測定結果をカメラ制御部３９へ出力する。カメラ制御部３９は、例えば位相差検出方式のＡＦセンサ１１から取得したデフォーカス量情報に基づいてレンズ５に含まれるフォーカスレンズの駆動量を算出し、レンズ制御部４に通知する。クイックリターンミラー１２は、露光の際にカメラ制御部３９から指示されて、不図示のアクチュエータによりアップダウンされる。
【００１８】
また、ユーザは、ペンタプリズム１４と光学ファインダー１６を介してフォーカシングスクリーン１３を観察することで、レンズユニット１００を通して得られた被写体の光学像の焦点や構図を確認することができる。
【００１９】
フォーカルプレーンシャッタ（以下メカシャッタという）１７は、撮像素子２０の露光時間に応じてタイミング制御部３２により開閉制御される。光学フィルタ１８は、一般的にローパスフィルタや赤外線カットフィルタなどから構成され、メカシャッタ１７の開口部から入射する光の高周波成分や赤外線をカットする。
【００２０】
撮像素子２０には一般的にＣＣＤイメージセンサやＣＭＯＳイメージセンサ等の光電変換素子が用いられ、レンズユニット１００、メカシャッタ１７及び光学フィルタ１８を通して撮像素子２０上に結像された被写体像を画素単位の電気信号に変換する。
【００２１】
ＡＭＰ部２１は、撮像素子２０により得られた電子信号を、設定されている撮像感度に応じたゲインで増幅する。Ａ／Ｄ変換部２２は、ＡＭＰ部２１で増幅された電気信号をデジタル信号（画像データ）に変換する。
【００２２】
画像処理部２３は、Ａ／Ｄ変換部２２が出力する画像データに対して、フィルタ処理、色変換処理、ガンマ／ニー処理を行い、メモリコントローラ２７に出力する。また、画像処理部２３はＤ／Ａ変換部を内蔵しており、Ａ／Ｄ変換部２２が出力する画像データやメモリコントローラ２７から入力される画像データをＤ／Ａ変換部でアナログ信号に変換し、表示制御部２４を介して表示装置２５に出力可能である。画像処理部２３による画像処理及び表示処理は、カメラ制御部３９により制御される。また、カメラ制御部３９は、撮像画像のカラーバランス情報をもとにホワイトバランス調整を行う。
【００２３】
メモリコントローラ２７は、画像処理部２３から入力された未処理の画像データをバッファメモリ２６に格納したり、画像処理部２３から入力された画像処理済みの画像データをメモリ２８に格納したりする。また、メモリコントローラ２７は、バッファメモリ２６やメモリ２８から画像データを読み出して画像処理部２３に出力する。また、メモリコントローラ２７はインタフェース２９を介して入力される画像データをメモリ２８に格納したり、逆にメモリ２８に格納されている画像データをインタフェース２９を介して外部に出力することも可能である。インタフェース２９は例えばUSB（Universal Serial Bus）、IEEE（Institute of Electrical and Electronics Engineers） 1394やHDMI（High-Definition Multimedia Interface）などの規格に準拠したものであってよい。
【００２４】
メモリ２８は、ＤＳＬＲが撮像した記録用の動画像や静止画像を記録する記録媒体である。メモリ２８は本体２００に固定されたものでも、半導体メモリカードのように着脱可能な様態でもよく、図１では、着脱可能な態様として図示している。タイミング制御部３２は、カメラ制御部３９の制御に従って、撮像素子２０の駆動タイミングを制御する。
【００２５】
本実施形態のＤＳＬＲの動作電力は、ＡＣ電源部３０もしくは２次電池部３１（まとめて電源という）から供給される。電源制御部３５は、カメラ制御部３９からの指示を受けて電源からの電力供給をオンオフする。また電源制御部３５は、電源状態検知部３４により検知された現在の電源状態の情報や電源種類検知部３３により検知された現在の電源の種類の情報をカメラ制御部３９に通知する。
【００２６】
シャッタ制御部３６は、カメラ制御部３９の制御に従ってメカシャッタ１７の開閉を制御する。光学フィルタ振動制御部３７は、カメラ制御部３９の制御に従って、光学フィルタ１８に接続されている圧電素子１９を振動させる。カメラ制御部３９は、圧電素子１９を振動させる振幅、振動時間、振動の軸方向をそれぞれ指定する。
【００２７】
不揮発性メモリ３８は、ユーザーが任意に設定したシャッタ速度、絞り値、撮像感度などの設定値やデータを、電源オフ状態でも記憶する。不揮発性メモリ３８は例えばＥＥＰＲＯＭであってよい。
カメラ制御部３９は、例えばＣＰＵとＲＯＭ、ＲＡＭ等のメモリを有し、ＲＯＭに記憶された制御プログラムをＣＰＵが実行することにより、本体２００及びレンズユニット１００の動作を制御する。
【００２８】
操作部４０は、ユーザがＤＳＬＲに各種設定や指示を行うためのキー、ボタン、ダイヤルなどの入力デバイス群である。操作部４０には、レリーズボタン、モードダイヤル、方向キー、決定キー、電源スイッチ、ライブビュー表示開始ボタン、メニューボタンなどが含まれる。本実施形態では、モードダイヤルによって静止画記録モード（絞り／シャッタースピード優先ＡＥモード、マニュアルモードなどを含む）と動画記録モードの切り替えが可能であるとする。また、静止画記録モードであっても動画記録モードであっても、レリーズボタンは静止画記録開始ボタンとして機能するものとする。また、レリーズボタンとは別に動画記録開始ボタンが設けられており、静止画記録モードであっても動画記録モードであっても、動画記録開始ボタンが押下されれば動画記録を開始するものとする。ただし、ボタンへの機能の割り当てはこれに限定されず、動画記録モードでは動画記録開始ボタンとして、静止画記録モードでは静止画記録開始ボタンとして機能する同一のボタンを有していてもよい。
【００２９】
次に、図２のフローチャートを用いて、本実施形態のＤＳＬＲにおける動画撮像用の露出パラメータ設定動作について説明する。図２の動作は、静止画記録モードか動画記録モードであっても、例えば撮像スタンバイ時においてカメラ制御部３９によって例えば一定時間毎に実行されるものとする。
まずＳ１０で、カメラ制御部３９は、ライブビュー表示中か否か判定する。この判定は、例えばライブビュー表示中か否かを表す情報を不揮発性メモリ３８に記憶しておき、判定時にこの情報を参照することで実現できる。カメラ制御部３９は、例えばライブビュー表示開始ボタンの押下などによりライブビュー表示を開始または終了した際に、情報の値を更新する。Ｓ１０において、ライブビュー表示中であると判定された場合、カメラ制御部３９は処理をＳ２０へ進め、従来と同様の動画記録スタンバイ処理を行う。一方、Ｓ１０においてライブビュー表示中でないと判定された場合、カメラ制御部３９は処理をＳ１１に進める。
【００３０】
Ｓ１１でカメラ制御部３９は、ライブビュー表示開始ボタンの押下などの、ライブビュー表示開始指示がなされたか否かを判定する。ライブビュー表示開始指示の入力が検出された場合、カメラ制御部３９は処理をＳ１３に進め、検出されなければ処理をＳ１２に進める。
【００３１】
Ｓ１２でカメラ制御部３９は、動画記録開始ボタンの押下などの動画記録開始指示がされたか否かを判定する。動画記録開始指示の入力が検出された場合、カメラ制御部３９は処理をＳ１４に進め、検出されなければ処理をＳ１０に戻す。
Ｓ１３でカメラ制御部３９は、ライブビュー表示用の動画撮像時の露出設定値として、電子シャッタ速度、撮像絞り、撮像感度を設定する。詳細な設定の方法は、後述する。
【００３２】
Ｓ１４でカメラ制御部３９は、動画記録用の動画撮像時の露出設定値として、電子シャッタ速度、撮像絞り、撮像感度を設定する。詳細な設定の方法は、後述する。
Ｓ１５でカメラ制御部３９は、図示しないアクチュエータを作動させ、クイックリターンミラー１２をアップさせる。
【００３３】
Ｓ１６でカメラ制御部３９は、Ｓ１３又はＳ１４で設定された絞り値を通信端子１０，６を介して、レンズ制御部４へ送信する。レンズ制御部４は、カメラ制御部３９から指示された絞り値となるよう、絞り駆動部２を介して絞り１を駆動する。
Ｓ１７でカメラ制御部３９は、シャッタ制御部３６を通じてメカシャッタ１７を開く。
【００３４】
Ｓ１８でカメラ制御部３９は、Ｓ１３又はＳ１４で設定された露出条件を用いて、ライブビュー表示用もしくは記録用の動画像の撮像を開始する。カメラ制御部３９は、Ｓ１３又はＳ１４で設定された電子シャッタ速度をタイミング制御部３２に通知し、タイミング制御部３２は、通知された電子シャッタ速度を実現するように撮像素子２０の駆動タイミングを制御する。これにより、撮像素子２０からは動画像のフレームレート（例えば３０フレーム／秒）に対応した画像が出力される。また、カメラ制御部３９は、ＡＭＰ部２１に対し、Ｓ１３又はＳ１４で設定された撮像感度に応じたゲインを設定する。ＡＭＰ部２１でレベル調整され、Ａ／Ｄ変換部２２でデジタル信号に変換された画像データは、画像処理部２３で上述の画像処理を適用されたのち、メモリコントローラ２７によってバッファメモリ２６に書き込まれる。
【００３５】
Ｓ１９でメモリコントローラ２７は、バッファメモリ２６に書き込まれた画像データをメモリコントローラ２７を介して、メモリ２８に記録する。なお、バッファメモリ２６に書き込まれた画像データをメモリ２８に記録する際には、必要に応じて画像処理部２３によって符号化処理を行ったり、予め定められた動画ファイルフォーマットに従ったデータ構造のファイルとしてから記録してもよい。
【００３６】
また、画像処理部２３は、バッファメモリ２６に書き込まれた画像データを表示装置２５に表示するのに適した形式に変換し、表示制御部２４を介して、表示装置２５に出力する。動画像の記録時には、ライブビュー表示と記録が並行して行われる。
【００３７】
次に、図３（ａ）、（ｂ）を用いて、Ｓ１４における、記録用の動画撮影時の露出設定値の設定処理について詳細に説明する。
まずＳ１０１で、カメラ制御部３９は、ＡＥセンサ１５より被写体の輝度（ＥＶ値）を取得する。
Ｓ１０２でカメラ制御部３９は、Ｓ１０１で取得した被写体輝度から、例えば予め不揮発性メモリ３８に記憶されている複数のプログラム線図のうち、動画記録用として用意された第１のプログラム線図に従って露出パラメータを設定する。ここで設定される露出パラメータは電子シャッタ速度、絞り値、撮像感度である。
【００３８】
第１のプログラム線図の具体例を図３（ｂ）に示す。プログラム線図は、異なる被写体輝度について、適正露出を得るための露出パラメータの組み合わせを示す。
図３（ｂ）は、ユーザー設定値によらずに、適切な露出となるような露出パラメータ（ここでは電子シャッタ速度、絞り値、撮像感度）を設定する為のプログラム線図である。第１のプログラム線図では、電子シャッタ速度がフレームレートの逆数より低速とならないように絞り値と撮像感度が設定されている。図３（ｂ）の例では、動画像のフレームレートが３０ｆｐｓであり、従って電子シャッタ速度が、１／３０秒より低速となる被写体輝度の場合は、電子シャッタ速度を延ばさずに撮像感度を上げて適正露出を得るように設定されている。従って、第１のプログラム線図に従って露出条件を設定することにより、被写体輝度が低くても、またユーザ設定値では適正露出が得られない場合でも、適正露出の動画像を指定されたフレームレートで撮像することが可能になる。
【００３９】
カメラ制御部３９は、第１のプログラム線図を選択する場合、動画記録の開始指示を検出した時点で設定されている露出パラメータの値（ユーザ設定値）は無視し、被写体輝度と第１のプログラム線図から電子シャッタ速度、絞り値、撮像感度を取得、設定する。例えば、ユーザーが撮像感度ＩＳＯ１００、絞り値ＡＶ５．６を設定していた場合に、被写体輝度がＥＶ５であったとする。この場合、３０ｆｐｓ（電子シャッタ速度１／３０秒）で適正露出の撮像を行うには、絞り値を１にする必要がある。そのため、ユーザ設定の絞り値ＡＶ５．６で撮像すると、５段アンダーとなり、かなり暗い動画像が記録されてしまう。これに対し、第１のプログラム線図と被写体輝度値から露出パラメータを設定すると、電子シャッタ速度１／３０（秒）、絞り値ＡＶ２．０、撮像感度ＩＳＯ４００が設定され、適切な露出の動画像が記録できる。
【００４０】
次に、図４（ａ）、（ｂ）を用いて、Ｓ１３における、ライブビュー表示用の動画撮影時の露出設定値の設定処理について詳細に説明する。
まずＳ２０１で、カメラ制御部３９は、ＡＥセンサ１５より被写体の輝度（ＥＶ値）を取得する。
Ｓ２０２でカメラ制御部３９は、現在設定されている撮像モードが絞り優先ＡＥモードであるかどうか判定し、撮像モードが絞り優先ＡＥモードなら処理をＳ２０４へ進め、絞り優先ＡＥモードでないなら処理をＳ２０３に進める。なお、絞り優先ＡＥモードでは、電子シャッタ速度が被写体輝度に応じて自動設定されるが、撮像感度の設定は自動設定されず、設定値のままで変更されないものとする。
【００４１】
Ｓ２０３でカメラ制御部３９は、現在設定されている撮像モードがマニュアルモードであるかどうか判定し、撮像モードがマニュアルモードなら処理を２０６に進め、マニュアルモードでないなら処理をＳ２０７に進める。
Ｓ２０４でカメラ制御部３９は、ユーザーが設定していた絞り値を、不揮発性メモリ３８から読み込む。
【００４２】
Ｓ２０５でカメラ制御部３９は、Ｓ２０１で取得した被写体輝度と、Ｓ２０４で取得した絞り値とから、予めライブビュー表示用の動画像撮影用として用意された第２のプログラム線図に従って露出パラメータを設定する。第２のプログラム線図を使用して設定される露出パラメータは電子シャッタ速度である。
Ｓ２０６でカメラ制御部３９は、ユーザーが設定していた電子シャッタ速度、絞り値、撮像感度をそのまま使用する。
Ｓ２０７でカメラ制御部３９は、Ｓ１４と同様、Ｓ２０１より取得された被写体輝度を用い、第１のプログラム線図に従って電子シャッタ速度、絞り値、撮像感度を設定する。
【００４３】
ここで第２のプログラム線図について、図４（ｂ）を用いて説明する。図４（ｂ）は、撮像感度ＩＳＯ１００に設定されている時のプログラム線図であり、ライブビュー表示のフレームレートは３０ｆｐｓとする。
例えば、ユーザーが設定していた絞り値がＡＶ１６、被写体輝度がＥＶ１３であった場合、電子シャッタ速度１／３０秒で適正露出が得られる。このように、電子シャッタ速度１／３０秒以下のシャッタ速度で適正露出が得られる露出パラメータの組み合わせが第２のプログラム線図で示される。しかし、例えば、ユーザーが設定していた絞り値がＡＶ５．６、被写体輝度がＥＶ５であった場合、適正露出で撮像するには、電子シャッタ速度を１（秒）又は撮像感度をＩＳＯ３２００としなければならない。しかし、撮像感度はＩＳＯ１００と設定されており、フレームレートが３０ｆｐｓであるため電子シャッタ速度は最長でも１／３０（秒）となる。これらの露出パラメータは変更できないため、露出は５段分アンダーとなり、ライブビュー表示される画像はかなり暗くなる。しかし、この時、動画記録が開始されているわけではなく、あくまでライブビュー表示されているだけなので、ユーザーは、ライブビュー表示される画像を見ながら、絞り値や撮像感度の設定を変更し、適切な露出値を設定することができる。
【００４４】
以上説明したように、ライブビュー表示機能と動画像の記録機能を有する撮像装置において、ライブビュー表示を開始する時は、適正露出が得られなくても、ユーザ設定値を優先して露出パラメータを設定する。一方、ライブビュー表示していない状態で、動画記録の開始が指示された場合には、適正露出で撮像された動画像が記録できるよう、撮像装置が露出パラメータを自動的に設定する。そのため、ユーザが設定した露出パラメータでは適正露出での撮像ができない場合でも、適正露出で撮像された動画像を記録することが可能になる。
【図１】
0005629456.tif 000002
【図２】
0005629456.tif 000003
【図３】
0005629456.tif 000004
【図４】
0005629456.tif 000005